(57)【要約】【課題】操作性の良いコンピュータシステムにおけるデータ、例えばホームページ中のイメージの保存方法と制御装置およびその記録媒体を提供する。【解決手段】文字情報とイメージ情報からなるホームページの中から画面上に表示されるイメージを保存するコンピュータシステムにおいて、ホームページを所定の言語で記述した記述文書を読取り４１、記述文書から、ホームページ中の保存可能なイメージのソースファイルを検索し４３、その検索したソースファイルに基づきイメージに関するイメージ情報をリスト表示し４４、そのリスト表示したイメージ情報の中から所望のイメージを選択し４５、その選択したイメージを記録媒体に保存する４６。【選択図】図４
2007073064.tif 000002
【特許請求の範囲】
【請求項１】
画面上に表示されるデータ中から所望のデータを保存するデータ保存方法において、
前記表示データの中から所定種別のデータを検出し、
前記検出されたデータをリスト表示し、
前記リスト表示されたデータから所望のデータを選択し、
選択した前記データを記録媒体に保存させる、
ことを特徴とするデータ保存方法。
【請求項２】
前記表示されるデータは文字情報とイメージ情報からなり、前記所定種別のデータはイメージ情報であることを特徴とする請求項１記載のデータ保存方法。
【請求項３】
前記表示されるデータは所定の言語で記述された文書に基づき表示されるものであって、該文書の内容から前記所定種別のデータを検出することを特徴とする請求項１または２記載のデータ保存方法。
【請求項４】
前記リスト表示は、所定のソート処理に従って表示される請求項１乃至３の何れかに記載のデータ保存方法。
【請求項５】
前記表示されるデータは遠隔のホームページであって、該ホームページを表示させるための記述文書から前記所定種別のデータを検出することを特徴とする請求項１乃至４の何れかに記載のデータ保存方法。
【請求項６】
前記表示されるデータはローカルの記録媒体に記録されたものであって、該記録媒体に記録された該データを表示するための文書から前記所定種別のデータを検出することを特徴とする請求項１乃至４の何れかに記載のデータ保存方法。
【請求項７】
画面上に表示されるデータ中から所望のデータを保存するデータ保存制御装置において、
前記表示データの中から所定種別のデータを検出する手段と、
前記検出されたデータをリスト表示する手段と、
前記リスト表示されたデータから所望のデータを選択する手段と、
選択した前記データを記録媒体に保存させる手段と、
を備えることを特徴とするデータ保存制御装置。
【請求項８】
前記表示されるデータは文字情報とイメージ情報からなり、前記所定種別のデータはイメージ情報であることを特徴とする請求項７記載のデータ保存制御装置。
【請求項９】
前記表示されるデータは所定の言語で記述された文書に基づき表示されるものであって、該文書の内容から前記所定種別のデータを検出することを特徴とする請求項７または８記載のデータ保存制御装置。
【請求項１０】
前記リスト表示は、所定のソート処理に従って表示される請求項７乃至９の何れかに記載のデータ保存制御装置。
【請求項１１】
前記表示されるデータは遠隔のホームページであって、該ホームページを表示させるための記述文書から前記所定種別のデータを検出することを特徴とする請求項７乃至１０の何れかに記載のデータ保存制御装置。
【請求項１２】
前記表示されるデータはローカルの記録媒体に記録されたものであって、該記録媒体に記録された該データを表示するための文書から前記所定種別のデータを検出することを特徴とする請求項７乃至１０の何れかに記載のデータ保存制御装置。
【請求項１３】
コンピュータに、
画面上に表示されるデータの中から所定種別のデータを検出し、
前記検出されたデータをリスト表示し、
前記リスト表示されたデータから所望のデータを選択し、
選択した前記データを記録媒体に保存させる、
ことを実行させるプログラムを記録したコンピュータ読み取り可能な記録媒体。
【請求項１４】
前記表示されるデータは文字情報とイメージ情報からなり、前記所定種別のデータはイメージ情報であることを特徴とする請求項１３記載のコンピュータ読み取り可能な記録媒体。
【請求項１５】
前記表示されるデータは所定の言語で記述された文書に基づき表示されるものであって、該文書の内容から前記所定種別のデータを検出することを特徴とする請求項１３または１４記載のコンピュータ読み取り可能な記録媒体。
【発明の詳細な説明】
【技術分野】
【０００１】
本発明はデータ保存方法とデータ保存制御装置およびそのための記録媒体に関する。
【背景技術】
【０００２】
近年、インターネットにコンピュータを接続して世界中のコンピュータ間で距離や時間を超えてリアルタイムに情報交換することが可能となってきている。インターネットを介して情報を得るものとしてホームページが知られている。ホームページは、主にＨＴＭＬ文書を用いて、テキスト（文書）情報とイメージ（画像）情報からなり、インターネットまたは他のネットワークに接続したコンピュータがそれぞれもつことのできる情報である。このホームページの中から文書やイメージを抜き取って保存しておき個人のデータベースとして活用したいという要望がある。
【０００３】
従来技術によるコンピュータを用いて、所定のホームページの中から文書（テキスト情報）を保存したい場合、コンピュータの画面上に表示されたそのホームページの保存したい文書の先頭位置にマウスをポイントし、ここでマウスのボタンを押したままその保存したい文書の最終位置までマウスをドラッグしてポイントを移しマウスのボタンを離すことにより保存したい範囲を指定することができる。この指定した文書の範囲の背景は例えばブルーに変化する。次に、この範囲内でマウスを右クリックすると、「コピー」というメニューが出て来るので、「コピー」をクリックすることでバッファに一時保持され、「編集」メニューの「貼り付け」をクリックすることによりバッファから新文書にホームページ中の文書を保存することができる。
【０００４】
一方、所定のホームページの中からイメージを保存したい場合、コンピュータの画面上に表示されたそのホームページの保存したいイメージの上にマウスをポイントし右クリックすると、「名前を付けて画像を保存する」というメニューが出て来る。次いで、保存する場所、ファイル名を入力して「保存」というボタンをクリックすることによりホームページ中のイメージを保存することができる。
【発明の開示】
【発明が解決しようとする課題】
【０００５】
しかしながら、上記従来技術によるホームページの中からイメージを保存する方法は、コンピュータの画面上に表示されたそのホームページの保存したいイメージの上にマウスをポイントしクリックしても、「名前を付けて画像を保存する」というメニューが出て来ない場合があり、このような場合、マウスでクリックしたイメージは保存することができない。このように、従来技術によるホームページの中からイメージを保存する方法は、保存したいイメージの上にマウスをポイントしクリックするまで、そのイメージが保存できるものなのか保存できないものなのか区別できずで操作性が悪いという問題がある。
【０００６】
また、ホームページはＨＴＭＬ文書のタグに従ってテキスト情報およびイメージ情報が画面上に配置して表示される。従って、ホームページで表示されている複数のイメージ情報を保存したい場合、散在している各イメージ情報をポイントするためにマウスを操作する必要がある。
それゆえ、本発明は上記問題を解決し、操作性の良いコンピュータシステムにおけるデータ保存方法、データ保存制御装置およびそのための記録媒体を提供することを目的とする。
【課題を解決するための手段】
【０００７】
前記問題を解決する本発明によるデータ保存方法は、画面上に表示されるデータ中から所望のデータを保存するデータ保存方法において、前記表示データの中から所定種別のデータを検出し、前記検出されたデータをリスト表示し、前記リスト表示されたデータから所望のデータを選択し、選択した前記データを記録媒体に保存させる、ことを特徴とする。
【０００８】
上記構成により、保存したいデータをリストして画面に表示するので、データを記録媒体に保存するときの操作性が向上する。
本発明のデータ保存方法において、前記表示されるデータは文字情報とイメージ情報からなり、前記所定種別のデータはイメージ情報である。
本発明のデータ保存方法において、前記表示されるデータは所定の言語で記述された文書に基づき表示されるものであって、該文書の内容から前記所定種別のデータを検出する。
【０００９】
本発明のデータ保存方法において、前記リスト表示は、所定のソート処理に従って表示される。
本発明のデータ保存方法において、前記表示されるデータは遠隔のホームページであって、該ホームページを表示させるための記述文書から前記所定種別のデータを検出する。
【００１０】
本発明のデータ保存方法において、前記表示されるデータはローカルの記録媒体に記録されたものであって、該記録媒体に記録された該データを表示するための文書から前記所定種別のデータを検出する。
前記問題を解決する本発明のデータ保存制御装置は、画面上に表示されるデータ中から所望のデータを保存するデータ保存制御装置において、前記表示データの中から所定種別のデータを検出する手段と、前記検出されたデータをリスト表示する手段と、前記リスト表示されたデータから所望のデータを選択する手段と、選択した前記データを記録媒体に保存させる手段と、を備えることを特徴とする。
【００１１】
本発明のデータ保存制御装置において、前記表示されるデータは文字情報とイメージ情報からなり、前記所定種別のデータはイメージ情報である。
本発明のデータ保存制御装置において、前記表示されるデータは所定の言語で記述された文書に基づき表示されるものであって、該文書の内容から前記所定種別のデータを検出する。
【００１２】
本発明のデータ保存制御装置において、前記リスト表示は、所定のソート処理に従って表示される。
本発明のデータ保存制御装置において、前記表示されるデータは遠隔のホームページであって、該ホームページを表示させるための記述文書から前記所定種別のデータを検出する。
【００１３】
本発明のデータ保存制御装置において、前記表示されるデータはローカルの記録媒体に記録されたものであって、該記録媒体に記録された該データを表示するための文書から前記所定種別のデータを検出する。
前記問題を解決する本発明の記録媒体は、コンピュータに、画面上に表示されるデータの中から所定種別のデータを検出し、前記検出されたデータをリスト表示し、前記リスト表示されたデータから所望のデータを選択し、選択した前記データを記録媒体に保存させる、ことを実行させるプログラムを記録したコンピュータ読み取り可能な記録媒体である。
【００１４】
本発明の記録媒体において、前記表示されるデータは文字情報とイメージ情報からなり、前記所定種別のデータはイメージ情報である。
本発明の記録媒体において、前記表示されるデータは所定の言語で記述された文書に基づき表示されるものであって、該文書の内容から前記所定種別のデータを検出する。
【発明の効果】
【００１５】
本発明によれば、コンピュータシステムの画面に表示した情報（ホームページ）の中から保存したいデータ（イメージ）をリストして画面に表示するので、データ（イメージ）を保存するときの操作が簡単になり、操作時間を短縮できる。
【００１６】
本発明によれば、所定の情報、例えばＣＤＲＯＭに格納された文字情報とイメージ情報からなる情報の中から保存したい情報（イメージ）をリストして画面に表示することができるので、情報（イメージ）を保存する操作が簡単になり、操作時間を短縮できる。
【発明を実施するための最良の形態】
【００１７】
以下、添付図面を参照しつつ本発明の実施の形態を詳細に説明する。
図１は本発明のコンピュータシステムの一実施形態の概略ブロック構成図である。図１に示すコンピュータシステムは、ＣＰＵ１を有するコンピュータシステムであり、ＣＰＵ１は、バスライン２を介して、システム全体を制御するプログラムや本発明によるホームページ中のイメージの保存方法を実行するためのプログラム等を格納したＲＯＭ３、システムに必要なデータや入出力データ等を一時格納するＲＡＭ４およびＩ／Ｏインターフェース５に接続されている。Ｉ／Ｏインターフェース５には、文書情報やイメージ情報を画面上に表示するＣＲＴ６、プリンタ７、フロッピディスクドライブ８、文字情報やイメージ情報を読取るスキャナ９、キーボード１０、ＣＲＴ６の画面上に配置され、例えば指でタッチした画面の位置データを検出するタッチパネル１１および通信網、例えばインターネットを介して外部のコンピュータに接続するモデム１２がそれぞれのケーブルを介して接続されている。
【００１８】
図１を用いて本発明の記録媒体に記録されたプログラムの処理について以下簡単に説明する。本発明の図１全体で示すコンピュータシステムは、中央処理装置（ＣＰＵ）１と、記録媒体である例えばＲＯＭ３やＲＡＭ４と、を備える。このコンピュータシステムには、フロッピー（登録商標）ディスクのような可搬型の記録媒体（図示せず）の読取装置、すなわちフロッピディスクドライブ８が設けられている。フロッピディスクドライブ８の代わりにＣＤ−ＲＯＭの読取装置を設けてもよい。所定の操作によりフロッピー（登録商標）ディスク等の可搬型の記録媒体に記録された本発明による各ステップをコンピュータに実行させるためのプログラムを、その読取装置を介して読取り、ＲＡＭ４にローディングする。もちろん、オペレータがコンピュータシステムのＲＡＭ４にキーボード１０等の入力手段を介して直接上記プログラムを書き込んでもよい。あるいは、他のクライアントのコンピュータシステム（図示せず）等に設置された記録媒体としての例えばＲＡＭ（図示せず）に格納された上記プログラムを、ネットワーク（通信回線）、モデム１２を介して本コンピュータシステムのＲＡＭ４にローディングする。その後、ＲＡＭ４にローディングしたプログラムは、コンピュータシステムのＣＰＵ１の処理により必要に応じて実行される。
【００１９】
また、プログラムは予めＲＯＭ３に記録され、そのプログラムをＲＯＭ３から読出してＣＰＵ１により実行されるものでもよい。
次に、本発明によるコンピュータシステムにおけるホームページ中のイメージの保存方法について以下に説明する。
図２は本発明のコンピュータシステムのホームページの初期画面を示す図である。画面２０の下段のメニューボックス２１には種々のメニューが表示されている。これらメニューには、左から順に、「戻る」、「進む」、「再読込」、「履歴」、「ブックマーク」、「検索」、「保存・読出」、「印刷」、「メール」および「終了」がある。「戻る」を選択すると前段階で表示していたページの表示画面に移る。「進む」を選択すると「戻る」が選択されたときのページの表示画面に移る。「再読込」を選択すると現在表示しているホームページの情報をリモートサーバまたはローカルシステムから読込んで表示する。「履歴」を選択すると今回コンピュータシステムを起動した後にアクセスしたホームページがリスト表示されそのリストから再度見たいホームページを選択できる。「ブックマーク」を選択すると次回以降にコンピュータシステムを起動したときにアクセスしたいホームページの登録とそのリスト表示ができる。「検索」を選択すると検索用の表示画面に移る。「保存・読出」を選択すると図３に示す画面に移り現在見ているホームページの中からテキストまたはイメージを保存する操作が可能となる。「印刷」を選択すると現在表示中の画面が印刷される。「メール」を選択すると電子メールの送信や受信のための操作画面に移る。「終了」を選択するとインターネット関連のサービス、例えばホームページや電子メールのサービスの提供が終了されコンピュータシステムの初期画面に移る。
【００２０】
これらのメニューの選択は、画面２０がタッチパネル構造となっているので画面２０上の下段のメニューボックス２１に示される種々のメニューを指でタッチすることにより操作でき、またはキーボードによりカーソルを移動してエンターキー押すことにより操作できる。
メニューボックス２１の上にはホームページのアドレスの表示領域２２がある。この表示領域２２には画面２０で見たいホームページのアドレスを直接キーで入力することができキー入力した後エンターキーを押せばそのホームページが画面２０に表示される。
【００２１】
画面２０の中央から左側の表示領域２３には、上部にWELCOME!インターネットブラウザと表示される領域２３０があり、領域２３０の下部の左側にはグルメ２３１、トラベル２３２およびスポーツ２３３、右側にはファッション２３４、コミックアニメ２３５およびオンラインマガジン２３６とホームページのタイトルが表示されている。これらのタイトルの左側にはタイトルを象徴するイメージが表示されている。これらのイメージはインターネットを介して他のサーバにリンクされており、このイメージを指でタッチするとリンク先のサーバのホームページが本コンピュータシステムのＲＡＭにダウンロードされる。
【００２２】
画面２０の右側の表示領域２４には、２つのホームページ「ホームページを作ってみよう」２４１と「紙で作る日用品達」２４２のタイトルとこれらのタイトルを象徴するイメージが表示されている。これらのイメージを指タッチすると本コンピュータシステムの「ホームページを作ってみよう」や「紙で作る日用品達」のホームページがＲＡＭにダウンロードされる。
【００２３】
図３はホームページ中のイメージをリスト表示した画面を示す図である。画面３０の下段にはホームページのアドレスの表示領域３１がある。この表示領域３１には画面３０に表示されているイメージ保存のリストに対応するホームページのアドレスが示されている。
画面３０の左側の表示領域３２には、３つのボタン「テキスト保存」、「イメージ保存」および「戻る」が表示されている。表示領域３２における「テキスト保存」３２１のボタンは表示領域３３にテキストの情報（図示せず）を表示させるためのボタンであり、「イメージ保存」３２２のボタンは表示領域３３にイメージの情報を表示させるためのボタンであり、「戻る」３２３のボタンは図２の表示画面に戻るためのボタンである。図３に示される「テキスト保存」３２１のボタンは四角形の枠が付いているが、この枠はタッチパネルを使用せずにキーボードだけを使用して操作するときにカーソルを「テキスト保存」３２１のボタンに移動したときに図３に示すように「テキスト保存」３２１のボタンを囲む位置に移動して表示される。「イメージ保存」３２２のボタンまでカーソルを移動すればこの枠も「イメージ保存」３２２のボタンを囲む位置に移動する。
【００２４】
この「イメージ保存」３２２のボタンを選択すると、図３に示すように、画面３０の中央から右側の表示領域３３に、ホームページ中の保存可能なイメージ情報のリストの一部が表示される。また、キーボードによるスクロール操作によりイメージ情報のリストの残りの部分が表示される。リストとして、参照番号３３１〜３３４で示すイメージとそれぞれのイメージのファイル名と表示領域３３に表示されたイメージのサイズとが表示される。
【００２５】
表示領域３３の上部の領域３３０に「イメージ保存」と表示されているが、表示領域３２のテキストボタン３２１が選択されているときは領域３３０は「テキスト保存」と表示される。図３に示すように、表示領域３３にはホームページで表示される保存可能なイメージがリストされて表示されている。イメージを保存したいときは、参照番号３３１〜３３４で示すリスト表示されたイメージを指でタッチする。テキストの情報を保存したいときは、「テキスト保存」３２１のボタンを指でタッチして表示領域３３にテキストの情報を表示する。すると表示領域に「保存しますか」というメニューが表示されるので、これを選択することによりテキストの情報の保存が行われる。
【００２６】
図４は本発明によるホームページ中のイメージの保存処理を示すフローチャートである。以下に記す処理はコンピュータシステムのＲＯＭに格納されたブラウザと称するプログラムにより主として遂行される。先ず、ステップ４１では、図２に示すメニューボックス２１におけるホームページを呼び出すメニューの選択に応じまたは表示領域２２にホームページのアドレスをキー入力した後のエンターキーの操作に応じて、所望のホームページのソースファイルをコンピュータシステムのＲＡＭにダウンロードする。次いで、ステップ４２では、ダウンロードしたホームページのソースファイル内容に基づき図２に示すように画面２０に表示する。
【００２７】
ステップ４３では、図２に示すメニューボックス２１における「保存・読出」を指でタッチすることにより、ダウンロードしたホームページのソースファイルからホームページ中の保存可能なイメージのソースファイルを検索する。ステップ４４では、検索したイメージのソースファイルに基づきイメージに関するイメージ情報を図３に示すように画面にリスト表示する。
【００２８】
ステップ４５では、リスト表示したイメージ情報の中から所望のイメージを選択する。この選択は、図３の表示領域３３に示されるホームページの保存可能なイメージのリストの中から参照番号３３１〜３３４のイメージを指でタッチすることにより行う。ステップ４６では、選択したイメージをフロッピー（登録商標）ディスクのような記録媒体に保存する。また、本発明の実施形態において、フロッピー（登録商標）ディスクは、通常の１．２ＭＢ、１．４ＭＢの容量のものの他に大容量、例えば１２０ＭＢのものも使用できる。また、フロッピー（登録商標）ディスクにおけるイメージはホームページのソースファイルの中のイメージのソースファイルのファイル名で保存される。
【００２９】
図５はＨＴＭＬで記述されたホームページの文書の一例を示す図である。図４に示すフローチャートのステップ４３およびステップ４４について図５を用いて説明する。図５はダウンロードしたホームページのソースファイルの文書を示す。このソースファイルは、ホームページのアドレスを示すＵＲＬ（Uniform Resource Locator）の最後に記述されたファイル名に相当するファイルをそのホームページを有するサーバから本コンピュータシステムにダウンロードしたものである。ここでＵＲＬの構成について下記の具体例を用いて概略説明する。
【００３０】
http://www.nasda.go.jp/Ranking/1997/Nov.html
上記ＵＲＬは、httpはプロトコール、www はサブドメイン名、nasda.go.jp はドメイン名、Ranking 1997はディレクトリ名、Nov.htmlはファイル名から構成される。また、ドメイン名は、組織名nasda 、属性goおよび国名jpから構成される。
【００３１】
このようにダウンロードしたホームページのソースファイルの文書からホームページ中の保存可能なイメージのソースファイルを検索（ステップ４３）するには、図５に示す文書の第１０行目に記述された「<IMG SRC="TYTLS.gif" WIDTH="375" HEIGHT="170" …> 」のような「IMG SRC 」と記述されている部分（IMG タグ）をキーにして検索する。「IMG SRC 」に続く「= 」の後に記述された「TYTLS.gif 」が求めるホームページ中の保存可能なイメージのソースファイルであり、「WIDTH="375" HEIGHT="170"」がそのイメージを表示するサイズを示す情報である。"375" や"170" はドット数を示すので、使用するコンピュータシステムの解像度（ドット／インチ）によって画面上の表示サイズは異なる。
【００３２】
したがって、検索したイメージのソースファイルに基づきイメージに関するイメージ情報を画面にリスト表示する（ステップ４４）には、例えば図５に示す文書の第１９行目に記述された「<IMG SRC="GURUM.gif" WIDTH="200" HEIGHT="51"…> 」や第２０、２１行目に記述された「<IMG SRC="FASON.gif" WIDTH="200" HEIGHT="51"…> 」から図３の表示領域３３の参照番号３３３や３３２で示すイメージ情報を表示する。ここで、表示領域３３に示される縦サイズ：５１ドット、横サイズ：２００ドットは、ホームページのソースファイルに記述されたドットサイズに一致するが、通常ホームページのソースファイルに記述されるイメージのドットサイズは、必ずしも縦サイズ：５１ドット、横サイズ：２００ドットに一致せず、ホームページの画面に実際に表示される大きさが示されている。このような場合、そのイメージを表示領域３３に縦サイズ：５１ドット、横サイズ：２００ドット内に収まるように縮小または拡大して表示する。また、本発明の実施形態では、イメージの保存サイズを縦サイズ：５１ドット、横サイズ：２００ドットとしているが、このサイズはこれに限らずホームページの画面に実際に表示される大きさにしたり、所望のサイズに設定することもできる。
【００３３】
上述した検索したイメージのソースファイルをリスト表示するには、種々の表示方法がある。図３に示す本発明の実施形態のように、ホームページのソースファイルからイメージのソースファイルを検索した順にリスト表示してもよいが、アルファベット順やアイウエオ順あるいはホームページ中に表示される頻度の高い順にソートしてリスト表示してもよい。例えば、天気予報のホームページのときは晴れマークが表示される頻度が高いので晴れマークのイメージ情報をリストの最初に表示してもよい。
【００３４】
以上、本発明をホームページの実施形態を例にとって説明したが、本発明はこれに限定されるものでなく、例えばＣＤＲＯＭに格納された文字情報とイメージ情報からなる所定の情報を上述したように解読して保存可能なイメージのソースファイルを検索し、検索したソースファイルに基づきイメージ情報を画面にリスト表示することも可能である。
【図面の簡単な説明】
【００３５】
【図１】本発明のコンピュータシステムの一実施形態の概略ブロック構成図である。
【図２】本発明のコンピュータシステムのホームページの初期画面を示す図である。
【図３】ホームページ中のイメージをリスト表示した画面を示す図である。
【図４】本発明によるホームページ中のイメージの保存処理を示すフローチャートである。
【図５】ＨＴＭＬで記述されたホームページの文書の一例を示す図である。
【符号の説明】
【００３６】
１    ＣＰＵ
３    ＲＯＭ
４    ＲＡＭ
５    Ｉ／Ｏインターフェース
６    ＣＲＴ
８    フロッピディスクドライブ
１０    キーボード
１１    タッチパネル
１２    モデム
【図１】
2007073064.tif 000003
【図２】
2007073064.tif 000004
【図３】
2007073064.tif 000005
【図４】
2007073064.tif 000006
【図５】
2007073064.tif 000007
【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
画面上に表示される表示データの中から所望のデータを保存するデータ保存方法において、
所定の言語で記述された文書に基づき表示され、文字情報とイメージ情報とを特定するソースファイルを読込んで所定種別のデータとして保存可能なイメージデータを検出し、
イメージを画面上に表示するためのイメージ表示情報を含めて前記検出されたイメージデータを画面上にリスト表示し、
前記リスト表示されたイメージデータから選択された所望のイメージデータを受付け、
前記選択された所望のイメージデータを記録媒体に保存させる、
ことを特徴とするデータ保存方法。
【請求項２】
前記表示されるデータはローカルの記録媒体に記録されたものであって、該記録媒体に記録された該データを表示するための文書から前記所定種別のデータを検出する請求項１に記載のデータ保存方法。
【請求項３】
前記イメージ表示情報が、ＨＴＭＬ文の「ＩＭＧ  ＳＲＣ」命令のもつ、サイズ指定の情報を含む、請求項１または２に記載のデータ保存方法。
【請求項４】
画面上に表示される表示データの中から所望のデータを保存するデータ保存制御装置において、
所定の言語で記述された文書に基づき表示され、文字情報とイメージ情報とを特定するソースファイルを読込んで所定種別のデータとして保存可能なイメージデータを検出する手段と、
イメージを画面上に表示するためのイメージ表示情報を含めて前記検出されたイメージデータを画面上にリスト表示する手段と、
前記リスト表示されたイメージデータから選択された所望のイメージデータを受付ける手段と、
前記選択された所望のイメージデータを記録媒体に保存させる手段と、
を備えることを特徴とするデータ保存制御装置。
【請求項５】
前記表示されるデータはローカルの記録媒体に記録されたものであって、該記録媒体に記録された該データを表示するための文書から前記所定種別のデータを検出することを特徴とする請求項４に記載のデータ保存制御装置。
【請求項６】
前記イメージ表示情報が、ＨＴＭＬ文の「ＩＭＧ  ＳＲＣ」命令のもつ、サイズ指定の情報を含む、請求項４または５に記載のデータ保存制御装置。
【請求項７】
プログラムされたコンピュータによって、画面上に表示される表示データの中から所望のデータを保存するデータ保存方法に用いられる記録媒体であって、
コンピュータに、
所定の言語で記述された文書に基づき表示され、文字情報とイメージ情報とを特定するソースファイルを読込んで所定種別のデータとして保存可能なイメージデータを検出し、
イメージを画面上に表示するためのイメージ表示情報を含めて前記検出されたイメージデータを画面上にリスト表示し、
前記リスト表示されたイメージデータから選択された所望のイメージデータを受付け、
前記選択された所望のイメージデータを記録媒体に保存させる、
ステップを実行させるプログラムを記録したコンピュータ読み取り可能な記録媒体。
【手続補正２】
【補正対象書類名】明細書
【補正対象項目名】０００７
【補正方法】変更
【補正の内容】
【０００７】
前記問題を解決する本発明によるデータ保存方法は、画面上に表示される表示データの中から所望のデータを保存するデータ保存方法において、所定の言語で記述された文書に基づき表示され、文字情報とイメージ情報とを特定するソースファイルを読込んで所定種別のデータとして保存可能なイメージデータを検出し、イメージを画面上に表示するためのイメージ表示情報を含めて前記検出されたイメージデータを画面上にリスト表示し、前記リスト表示されたイメージデータから選択された所望のイメージデータを受付け、前記選択された所望のイメージデータを記録媒体に保存させる、ことを特徴とする。
【手続補正３】
【補正対象書類名】明細書
【補正対象項目名】０００８
【補正方法】変更
【補正の内容】
【０００８】
上記構成により、保存したいデータをリストして画面に表示するので、データを記録媒体に保存するときの操作性が向上する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明のデータ保存方法において、前記表示されるデータはローカルの記録媒体に記録されたものであって、該記録媒体に記録された該データを表示するための文書から前記所定種別のデータを検出する。
本発明のデータ保存方法において、前記イメージ表示情報が、ＨＴＭＬ文の「ＩＭＧ  ＳＲＣ」命令のもつ、サイズ指定の情報を含む。
前記問題を解決する本発明のデータ保存制御装置は、画面上に表示される表示データの中から所望のデータを保存するデータ保存制御装置において、所定の言語で記述された文書に基づき表示され、文字情報とイメージ情報とを特定するソースファイルを読込んで所定種別のデータとして保存可能なイメージデータを検出する手段と、イメージを画面上に表示するためのイメージ表示情報を含めて前記検出されたイメージデータを画面上にリスト表示する手段と、前記リスト表示されたイメージデータから選択された所望のイメージデータを受付ける手段と、前記選択された所望のイメージデータを記録媒体に保存させる手段と、を備えることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明のデータ保存制御装置において、前記表示されるデータはローカルの記録媒体に記録されたものであって、該記録媒体に記録された該データを表示するための文書から前記所定種別のデータを検出する。
本発明のデータ保存制御装置において、前記イメージ表示情報が、ＨＴＭＬ文の「ＩＭＧ  ＳＲＣ」命令のもつ、サイズ指定の情報を含む。
前記問題を解決する本発明の記録媒体は、プログラムされたコンピュータによって、画面上に表示される表示データの中から所望のデータを保存するデータ保存方法に用いられる記録媒体であって、コンピュータに、所定の言語で記述された文書に基づき表示され、文字情報とイメージ情報とを特定するソースファイルを読込んで所定種別のデータとして保存可能なイメージデータを検出し、イメージを画面上に表示するためのイメージ表示情報を含めて前記検出されたイメージデータを画面上にリスト表示し、前記リスト表示されたイメージデータから選択された所望のイメージデータを受付け、前記選択された所望のイメージデータを記録媒体に保存させる、ステップを実行させるプログラムを記録したコンピュータ読み取り可能な記録媒体である。
【手続補正９】
【補正対象書類名】明細書
【補正対象項目名】００１４
【補正方法】削除
【補正の内容】